(57)【特許請求の範囲】
【請求項１】
新たな洗浄水を便器ボール部に通水して、該便器ボール部に貯め置く溜水を汚物と共にトラップから排出し、便器洗浄を行う水洗便器であって、前記便器ボール部におけるボール面上縁部に設けられたボール面噴出口であって、供給を受けた洗浄水を前記ボール面上縁部からボール面上縁に沿って噴出する前記ボール面噴出口と、前記ボール面噴出口からの噴出洗浄水を前記ボール面上縁回りに案内する案内手段とを備え、前記案内手段は、前記噴出洗浄水が流れる棚部と、前記噴出洗浄水の流れ方向を規制すると共に前記棚部の便器外側方向から上方に立ち上がって前記棚部をオーバーハングする規制壁部とを、前記ボール面上縁回りに形成して備え、前記棚部は、前記ボール面噴出口との繋ぎ部分において、前記ボール面噴出口の開口底面から略連続した棚面を有することを特徴とする水洗便器。
【発明の詳細な説明】
【技術分野】
【０００１】
本発明は、新たな洗浄水を便器ボール部に通水してこれを洗浄する水洗便器に関する。
【背景技術】
【０００２】
便器ボール部に洗浄水を通水してこれを洗浄する方式には種々のものがあり、ボール部上縁のリム部を中空とし、その中空部を通水経路として、このリム部からボール面に洗浄水を噴出する方式が普及している。この他、ボール面上縁部の内側壁面に沿って洗浄水を噴出する新たな洗浄方式も提案されている。
【特許文献１】特開平９−１２５５０２号公報
【発明の開示】
【発明が解決しようとする課題】
【０００３】
上記公報に記載の水洗便器では、ただ漫然と洗浄水がボール面に噴出されているに過ぎず、噴出洗浄水の挙動や、リム部形状等に改善の余地が残されていた。例えば、上記公報の水洗便器では、便器上縁に内側に突出する突部を接合してリム部とし、これを噴出洗浄水の飛散防止用に用いているが、噴出洗浄水の流れの様子は噴出口からの距離に応じて変わるので、場合によってはこの突部では十分に飛散防止を図ることができないことがあった。また、上記の突部を接合して焼成しその突部部分を便座の着座に用いているが、こうした構成では、焼成時に突部の接合箇所に亀裂が発生しやすくなる。或いは、噴出後の洗浄水を前方に流れる間にボール部底部に流れ落とすとしているが、噴出洗浄水の勢いによってはこの流れ落ちが十分でないようなこともあった。
【０００４】
本発明は、上記した問題点を解決するためになされ、ボール面上縁部の内側壁面に沿って洗浄水を噴出して便器を洗浄する場合の機能改善を図ることを目的とする。
【課題を解決するための手段】
【０００５】
上記した課題を解決するため、本発明の水洗便器では、新たな洗浄水を便器ボール部に通水して、該便器ボール部に貯め置く溜水を汚物と共にトラップから排出し、便器洗浄を行う水洗便器であって、前記便器ボール部におけるボール面上縁部に設けられたボール面噴出口であって、供給を受けた洗浄水を前記ボール面上縁部からボール面上縁に沿って噴出する前記ボール面噴出口と、前記ボール面噴出口からの噴出洗浄水を前記ボール面上縁回りに案内する案内手段とを備え、前記案内手段は、前記噴出洗浄水が流れる棚部と、前記噴出洗浄水の流れ方向を規制すると共に前記棚部の便器外側方向から上方に立ち上がって前記棚部をオーバーハングする規制壁部とを、前記ボール面上縁回りに形成して備え、前記棚部は、前記ボール面噴出口との繋ぎ部分において、前記ボール面噴出口の開口底面から略連続した棚面を設けた。
【発明の効果】
【０００６】
本発明の水洗便器は、ボール面噴出口との繋ぎ部分において、ボール面噴出口の開口底面から略連続した棚面を設けたので、ボール面噴出口からの洗浄水噴出に際して洗浄水の衝突を起こさず、噴出洗浄水のエネルギー損失を抑制してボール面噴出口から下流に噴出できるので、高いエネルギーを持った噴出洗浄水で便器洗浄を図ることができ、洗浄能力を高めることができる。
【発明を実施するための最良の形態】
【０００７】
以上説明した本発明の構成及び作用を一層明らかにするために、以下本発明の水洗便器について、その実施の形態を説明する。図１は本発明の実施例であるサイホンゼット式の便器１０を、その採用する洗浄水噴出の様子と共に示す概略斜視図、図２は、便器１０をその上面をほぼ全域に亘って破断して示す説明図であり、図３は便器１０を図２における３−３線に沿って破断した概略縦断面を示す説明図、図４はリム部２１を説明するため図２のＡ−Ａ線、Ｂ−Ｂ線、Ｃ−Ｃ線、Ｄ−Ｄ線の各部でリム部２１を破断した概略部分断面である。このサイホンゼット式の便器１０は、洗浄に伴って、後述するゼット噴出口２２からの洗浄水噴出とボール面上縁における洗浄水噴出を行う。以下、便器１０の各部について、各図を参照しつつ説明する。
【０００８】
これら図面に示すように、便器１０は、汚物を受けるボール部２０を備える。ボール部２０の周壁は、便器１０の非洗浄時でも溜水ＲＷと接する覆水面２３と、便器１０の非洗浄時には溜水ＲＷと接しない露出面２４から構成されている。
【０００９】
この便器１０は、二つの洗浄水噴出系を有する。一方の噴出系（ゼット噴出系）は、洗浄水タンク３１０（図３参照）からのタンク洗浄水入り口である洗浄水給水孔４０から、ボール部底部の凹部２６に開口されたゼット噴出口２２までの経路を有する。他方の経路（リムショット噴出系）は、洗浄水給水孔４０から、ボール部２０の上部側面に空けられたリム噴出口４４までの経路を有する。このゼット噴出系とリムショット噴出系は、洗浄水給水孔４０の直下近傍で、後述するように分岐形成されており、それぞれの噴出口に洗浄水を供給する。
【００１０】
ゼット噴出口２２は、図示するように、凹部２６を挟んでトラップの吸引口２５とほぼ対峙する位置に設けられている。そして、このゼット噴出口２２は、洗浄水給水路４１のゼット給水孔４５と、便器内部を湾曲するように形成されたゼット給水路４６を介して接続されている。リム噴出口４４は、洗浄水給水路４１から洗浄水給水孔４０近傍で分岐したリム給水路４３の先端に位置するよう、ボール部２０のボール面（詳しくは露出面２４）上縁に形成されている。
【００１１】
この場合、リム給水路４３は、図２から明らかなように、洗浄水タンク３１０を固定するためのタンク取付孔２８と図示しない便座或いは便座装置を取り付けるための便座取付孔２９との干渉を避けた経路で形成されている。タンク取付孔２８および便座取付孔２９は、所定の既存ピッチ（例えば、タンク取付孔間ピッチ＝１７０ｍｍ、便座取付孔間ピッチ＝１４０ｍｍ）である。このため、本実施例の便器１０には、既存の洗浄水タンクや便座（便座装置）をそのまま固定でき、特別な取付ピッチを有するタンクや便座を手配する必要がない。
【００１２】
便器１０は、その製造の過程で、ボール部パーツ１０ａと、本体下部パーツ１０ｂと、給水路遮蔽パーツ１０ｃとされ、これらのパーツを接合・なじみ処理した後、焼成して製造される。
【００１３】
便器１０の内部には、ボール部２０に水を噴出するための上記の二系等の噴出系のほか、ボール部２０内の汚物を排水ソケット７０並びに排水立ち上げ管９０に向けて排出するためのサイホントラップ管路が設けられている。なお、このサイホントラップ管路は、接続路３１およびこれらに続く上昇路３２、下降路３３で構成されるが、本発明の要旨に関係しないのでその説明は省略する。
【００１４】
まず、噴出系の構成について説明する。便器１０の後方には、便器洗浄水の給水源としての洗浄水タンク３１０が設置されている。このタンク内洗浄水は、底部の図示しない排水弁から洗浄水給水孔４０を通過し、洗浄水給水路４１とリム給水路４３に分流される。なお、後述のトラップから便器外部に排出される洗浄水量（排出洗浄水量）は、タンクの排水弁の開弁制御により調整可能であり、所定量、例えば大便洗浄時にあって約６リットルとなるよう設定することができる。
【００１５】
この洗浄水給水孔４０を通過して洗浄水給水路４１に流入したタンク洗浄水は、既述したゼット給水孔４５並びにゼット給水路４６を通過して、ゼット噴出口２２から吸込口２５に向けて噴出される。よって、洗浄水のエネルギは、吸込口２５以降のトラップに無駄なく伝達されるので、サイホン作用をより早期に引き起こすことが可能となる。なお、洗浄水給水路４１の上部前方には、ボール部２０の外側に位置する空隙４２が区画壁４１ａによって形成されており、この区画壁にはエア排出孔４１ｂが空けられている。よって、このエア排出孔４１ｂからのエア排出により、洗浄水給水路４１への速やかな洗浄水流入を経て、洗浄水は速やかにゼット噴出口２２から噴出される。
【００１６】
一方、リム給水路４３に分流して流れ込んだ洗浄水は、給水路先端のリム噴出口４４からボール部２０に噴出される。こうした洗浄水の分流は洗浄水給水孔４０のほぼ直下で起きるので、両噴出口からは、ほとんど同時に洗浄水噴出が開始される。また、リム噴出口４４から離れた位置で洗浄水の分流を起こすことができるので、分流後の洗浄水をその流れに比較的乱れが起きない状態でリム噴出口４４に流して噴出できる。この結果、このリム噴出口４４からは、流れに乱れが無い状態で洗浄水をボール面上縁部に噴出することができる。従って、洗浄水をその流れに大きな乱れが起きない状態で噴出でき、ボール面上縁部から洗浄水が不用意に飛び出すようなことも無くなる。また、便器の洗浄性も高めることができる。以下、リム噴出口４４からの洗浄水噴出をリムショットと呼ぶこととし、このリムショットによる洗浄水の挙動については後述する。
【００１７】
リム給水路４３は、図３に点線で示すように、リム噴出口４４に至るまで、洗浄水給水孔４０の側から下方に傾斜して形成されている。よって、リム噴出口４４の側から洗浄水が不用意に逆流しないようにできる。また、リム給水路４３を流れる間においては、洗浄水のエネルギロスを起こさないようにできるので、リム噴出口４４からは、大きな流速をもって勢い良く洗浄水を噴出できる。
【００１８】
なお、洗浄水給水路４１とリム給水路４３への洗浄水分流程度は、リム給水路４３の分岐箇所の有効管路面積を調整することで種々調整可能である。
【００１９】
次に、リムショットによる洗浄水の挙動をリム部２１の構成と関連付けて説明する。図５はリム噴出口４４の周辺の概略斜視図である。
【００２０】
図２ないし図５に示すように、便器１０は、リム噴出口４４からのリムショット洗浄水を案内すべく、次のような構成を有する。図２に示すように、便器１０は、リム噴出口４４を図における便器左側方に備え、図中斜線で示すように、このリム噴出口４４の前方にボール面回りに旋回した経路の棚部５０を有する。この棚部５０は、ボール部２０の上記した露出面２４の上縁回りの領域に形成されており、リム噴出口４４からのリムショット洗浄水を棚面に乗せて下流側（旋回軌跡の下流側）に流す。
【００２１】
棚部５０は、その各部において、図４に示すように、ボール部２０の底部の側に傾斜形成されている。このため、棚部５０の棚面に乗って流れている洗浄水を、図１に図中白抜き矢印で示すように、棚部５０の旋回経路各部でボール部２０のボール面（詳しくは、露出面２４から覆水面２３にかけてボール面）に沿って流し落とすことができる。よって、このように旋回経路各部で流れ落ちる洗浄水（リムショット洗浄水）でボール面の付着汚物を確実に剥離できるので、ボール面洗浄能力を向上させることができる。
【００２２】
また、リム噴出口４４との繋ぎ部分において、棚部５０の棚面は、図４（a）のＡ−Ａ断面並びに図５に示すように、リム噴出口４４の開口底面から略連続した棚面となるようにされている。よって、リム噴出口４４からのリムショット洗浄水の噴出に際し、落差をもって洗浄水を噴出することがなくなり、棚面への洗浄水衝突を招かない。このため、リムショット時に洗浄水のエネルギ損失を抑制できるので、高いエネルギを持った状態で、リムショット洗浄水をリム噴出口４４の下流側に、即ち、棚部５０の旋回軌跡に沿って流すことができる。
【００２３】
この棚部５０は、上記した旋回経路に沿って、その下流に行くほど下方に傾斜するようにされている。即ち、図３および図４に示すように、便器左方側では、４４近傍でもっともその高さが高く、便器前方側では低くなるようにされている。この様子は、図４において、リム部２１上端面から棚部５０までの隔たりが広くなることで示されている。また、棚部５０は、便器右方側においても、便器前方から後方にいくほど低くなるようにされており、図５に示すように、経路末端では旋回経路開始部（即ち、リム噴出口４４の配設付近）と段差状を呈する。このように棚部５０は旋回経路に沿って下方に傾斜するので、リムショット洗浄水がこの棚部５０に乗って旋回経路に沿って流れる際、このリムショット洗浄水を旋回経路（旋回軌跡）の末端までより確実に行き渡らせることができる。
【００２４】
このため、旋回経路の各部での上記したリムショット洗浄水のボール面に沿った流れ落ちを確実に起こすことができ、汚物の剥離効果が高まる。また、旋回経路末端に行き渡ったリムショット洗浄水は旋回状態でボール部２０の溜水に流れ込むので、溜水の旋回も引き起こすことができ、これによりトラップへの洗浄水吸引を促進できる。これらの結果、棚部５０を上記のように旋回経路に沿って下方に傾斜させることで、高い洗浄能力を発揮できる。この場合、後述するリム部２１によるリムショット洗浄水の案内により、リムショット洗浄水の旋回挙動を確実なものとできるので、より高い洗浄能力を発揮できる。
【００２５】
また、便器１０は、ボール部２０の上縁回りにリム部２１を備え、このリム部２１を、図４に示すように、上記の棚部５０をその上部から覆うようにしている。このリム部２１は、棚部５０の便器外側方向から上方に立ち上がって当該棚部をオーバーハングするよう形成されており、そのオーバーハングの様子を棚部５０の旋回経路、即ちリムショット洗浄水の案内軌跡に沿って異なるものとしている。つまり、リム噴出口４４との繋ぎ部分では、リム部２１は、その有するオーバーハング部５２が棚部５０と略水平に対向する程度までオーバーハングさせている（図４（ａ）、（ｂ）参照）。
【００２６】
しかも、このリム噴出口４４との繋ぎ部分では、図示するように、リム部２１の内面形状は、リム噴出口４４の便器外方側の開口側面並びに開口上面から略連続した形状とされている。よって、棚部５０がリム噴出口４４の開口底面と略連続した棚面とされていることと相まって、リム噴出口４４からは、リムショット洗浄水を衝突を起こすことなくより効果的に噴出することができ、好ましい。そして、オーバーハング部５２の内面コーナー部５３は、Ｒ形状や三角状の余肉付けとされているので、焼成時において当該コーナー部の亀裂発生を回避できると共に、オーバーハング部５２の強度を向上することができる。
【００２７】
また、リム噴出口４４から離れた範囲では、ボール部上縁回りにおいて、リム部２１のオーバーハング部５２を棚部５０に対して傾斜したオーバーハング状態とした（図４（ｃ）〜図４（ａ）参照）。そして、この傾斜状のオーバーハング部５２と棚部５０を、図示するように、湾曲形状の連続部５４で連続させた。更に、図４（ｃ）の便器左方部から図４（ｄ）の便器前方側の右方部に亘る間においては、オーバーハング部５２を図中ｒで示す曲率半径で湾曲形成し、その湾曲程度を便器前方側ほど大きくなるようにした。なお、図４（ｃ）、（ｂ）、（ａ）に示す範囲にあってもオーバーハング部５２を湾曲させるようにすることもできる。
【００２８】
そして、図２および図４に示すように、上記したオーバーハング部５２をリム部２１の一部分とし、このリム部２１には、その内部に中空部５５を形成した。中空部５５は、便座の着座部となるリム上面壁５８と、リム部における便器外郭を形成する外郭壁５９と、ボール部２０上縁との接合壁６０と、上記のオーバーハング部５２とで囲まれて形成されている。図２に示すように、この中空部５５は、リム噴出口４４から離間した箇所、詳しくは、リムショット洗浄水ＲＳがその流れの向きを棚部５０とオーバーハング部５２で変える箇所の付近から形成されている。そして、この中空部５５は、ボール部２０回りに湾曲し、既述した洗浄水給水路４１の上部前方の空隙４２に至るまで形成されている。
【００２９】
このようなリム部２１を有することから、次の利点がある。リム噴出口４４の近傍では、オーバーハング部５２の内面コーナー部５３をＲ形状や三角状の余肉付けとされたものとして、この範囲のオーバーハング部５２の強度を高めている。これ以外の領域のリム部２１にあっては、中空部５５を形成して、リム上面壁５８をその左右のオーバーハング部５２と外郭壁５９で支えるようにして、中空部５５を有する範囲にあってもリム部２１の強度向上を図っている。この結果、焼成時の亀裂発生回避の信頼性を高めると共に、リム部２１全体の強度を確実に高めることができる。よって、便座や局部洗浄装置などを支承なく便器１０に装着できる。
【００３０】
更に、以上説明したごとく便器１０は、棚部５０とオーバーハング部５２をボール部上縁回りに有するので、次の利点がある。
【００３１】
上記したように棚部５０は、その棚面にリムショット洗浄水ＲＳを乗せつつ、このリムショット洗浄水ＲＳを棚部旋回経路に沿って下流に流す。一方、オーバーハング部５２と棚部５０に連続した連続部５４は、棚部から立ち上がることで５０と同じ旋回経路に沿って存在し、ＲＳの流れ方向をこの旋回経路に沿ったものに規制する。これにより、リムショット洗浄水ＲＳは、上記の旋回経路に沿って案内されて、ボール面上縁回りの旋回経路に沿って流れる。
【００３２】
そして、このようにリムショット洗浄水ＲＳを案内するに当たり、棚部５０に対するオーバーハング部５２のオーバーハングの様子をリムショット洗浄水ＲＳの旋回経路に沿って異なるものとした。つまり、リム噴出口４４との繋ぎ部分では、オーバーハング部５２を棚部５０と略水平に対向する程度までオーバーハングさせて、リム噴出口４４から噴出されるリムショット洗浄水ＲＳを棚部５０とオーバーハング部５２とで取り囲むようにした。このため、閉鎖管路のリム給水路４３を通過してリム噴出口４４から噴出されたリムショット洗浄水ＲＳは、噴出口周囲に拡散して噴出しようとするが、棚部５０並びにオーバーハング部５２によりその拡散が確実に回避された状態で噴出する。よって、洗浄水の拡散噴出に伴う外部への洗浄水飛散を確実に回避できると共に、流れ方向（噴出方向）を揃えた状態でリム噴出口４４前方、即ち上記の旋回経路に沿って噴出できる。
【００３３】
また、図４に示すように、このようにして拡散回避を行った下流領域では、オーバーハング部５２を棚部５０に対して傾斜させると共に、このオーバーハング部５２を連続部５４を介して棚部５０から立ち上げた。よって、リムショット洗浄水ＲＳを案内するに際して、リムショット洗浄水ＲＳをこの連続部５４に集めつつ旋回経路に沿って下流に流すことができる。そして、旋回による遠心力を受けてリムショット洗浄水ＲＳが便器外部に飛び出そうとしても、傾斜させたオーバーハング部５２でこの洗浄水を受け止めてこの洗浄水の飛び出しを有効に回避できる。
【００３４】
しかも、傾斜状のオーバーハング部５２自体を内側に湾曲させて、便器前方ではこの湾曲程度を大きくした。この点でも次の利点がある。便器前方では便器前方から後方に向けた流れにその方向が大きく変わるので、上記した洗浄水の飛び出しが起きやすい。しかし、この便器前方でオーバーハング部５２はより大きな湾曲形状を採るので、便器前方における洗浄水の飛び出しもより効果的に回避することができる。
【００３５】
これらの結果、上記した構成を有する本実施例の便器１０によれば、リムショット洗浄水ＲＳをボール部上縁回りに噴出して便器洗浄を行う場合の噴出洗浄水の飛散防止機能を向上させることができる。
【００３６】
また、ボール面の汚物剥離効果を高めるために、５０をその旋回経路の各部でボール部２０の側に傾斜させるようにし、この傾斜を、上記のように流れ方向が大きく変わる便器前方側で大きくした。よって、傾斜が大きい分だけ多くの量のリムショット洗浄水ＲＳを、便器前方におけるボール面に沿ってボール部底面側に流し落とすことができるので、便器前方側のボール面であっても高い洗浄能力で洗浄できる。
【００３７】
加えて、次のようなまた別の利点がある。リム噴出口４４近傍では、対向するオーバーハング部５２と棚部５０との間を、ボール部２０の側で解放することで、この領域の棚部５０の棚面を便器上方から見やすくした。また、リム噴出口４４より下流では、オーバーハング部５２の傾斜形成により、棚部５０の棚面はもとよりオーバーハング部５２の内側面や連続部５４の表面を、便器上方の側から使用者に見やすくした。こうすることで、使用者に棚面等の汚れ具合をよく見えるようにする。よって、使用者は、掃除の要否を容易に判断できると共に、容易に棚面等を掃除できる。
【００３８】
また、本実施例では、リムショット洗浄水ＲＳによる便器洗浄に加えて、ゼット噴出口２２から洗浄水をボール部溜水に直接噴出するようにした。よって、トラップへの洗浄水（溜水）の吸引効率を一層高めることができ、溜水並びに汚物をより効果的かつ速やかにトラップから排出できる。
【００３９】
次に、上記した便器１０の製造方法について説明する。この製造方法では、一律な形状のリム部を有する既存の便器の製造方法と、ボール部パーツ１０ａの型成型に用いる型構造が異なるに過ぎない。図６は便器１０のうちボール部パーツ１０ａの型成型に用いる型構成を便器縦断面方向で示す説明図、図７は図４に示したリム部各部の横断面方向の型構造を示す説明図、図８はリム部２１の要部とその部分の型構造を一部を拡大して示す説明図である。なお、各型は多孔質の吸引型である。
【００４０】
図示するように、ボール部パーツ１０ａの型成型に際しては、上型１００と、下型１０１と、合わせ型１０２を用いる。上型１００は、リム部２１のオーバーハング部５２或いはリム上面壁５８と、外郭壁５９と、洗浄水タンク３１０や図示しない便座の載置部上壁部１２２を形成するための型である。この上型１００は、洗浄水給水孔４０形成用の樹脂製、例えばテフロン（登録商標）製の凸部１００ａを有し、リム部２１並びに載置部の上端アールの境界で下型１０１、合わせ型１０２と接合する。
【００４１】
下型１０１は、リム噴出口４４に洗浄水を分流供給するためのリム給水路４３を形成すると共に、空隙４２を形成するための区画壁４１ａと、リム部２１の接合壁６０とを形成するための型である。この下型１０１は、エア排出孔４１ｂ形成用の樹脂製、例えばテフロン（登録商標）製の埋没材１０１ａと、リム部２１の接合壁６０における排泥孔６１形成用の樹脂製、例えばテフロン（登録商標）製の埋没材１０１ｂを有する。合わせ型１０２は、リム部２１のオーバーハング部５２および内面コーナー部５３並びにリム噴出口４４を形成するための型であり、離型に支障が無いようリム周りに分割されている。この場合、合わせ型１０２は、リム噴出口４４の形成位置に樹脂製、例えばテフロン（登録商標）製の図示しない埋没部を有し、この埋没部によりリム噴出口４４を形成する。
【００４２】
これら各型を型接合して各型で形成されたキャビティに泥漿を注入し、各型を吸引処理すると、図示するように各型の型形状に倣って泥漿が着層する。その後、乾燥させて離型すると、ボール面上縁のリム部２１を含み、便器全体の上部構造を有するボール部パーツ１０ａ（便器素地）が形成される。余剰の泥漿排出の際には、この便器素地におけるエア排出孔４１ｂから排泥のためのエアが送られ、便器素地の中空部、即ち空隙４２や中空部５５に残存していた余剰の泥漿は、排泥孔６１から除去される。
【００４３】
また、既存の図示しない型（上型・下型或いは左右の型）を用いて、ボール部下方部や凹部２６、上記トラップ管路、便器本体下部部分等の残余の便器部分を含む便器下部構造を有する本体下部パーツ１０ｂ（便器素地）を型成型して準備する。更には、本体下部パーツ１０ｂに形成済みのゼット給水路４６用の凹所をその経路に亘って遮蔽する給水路遮蔽パーツ１０ｃを成型して準備する。なお、この給水路遮蔽パーツ１０ｃの成型も既存のものと変わることは無い。
【００４４】
こうして各パーツの準備が完了すると、各パーツを端面同士で接合させて、その接合個所を指や刷毛等でなじみ処理に処し、焼成する。このような製造工程を採るに当たり、ボール部パーツ１０ａ成型用の下型１０１の型形状を変更するだけでよいので、低コスト化を図ることができる。なお、下型１０１と合わせ型１０２は分割されず、一体型でも成形可能である。また、ボール部パーツ１０ａと本体下部パーツ１０ｂを接合しない一体型の成形方法も可能である。
【００４５】
以上、本発明が実施される形態を説明したが、本発明はこうした実施例に何等限定されるものではなく、本発明の要旨を逸脱しない範囲内において種々なる様態で実施し得ることは勿論である。
【００４６】
例えば、上記実施例では、洗浄水タンクとして、便器に連結されるロータンク型タンクを用いたが、ロータンク型タンク以外のタンク、例えば、便器と洗浄管を介して接続されてトイレの壁等に設置される隅付き型や平付き型のタンクを用いてもよい。この場合に、洗浄水タンクを高い位置に設置してハイタンクとすることも可能である。
【００４７】
また、本発明をサイホンゼット式便器１０やサイホン便器に適用した場合を例として説明したが、上記の便器と他の装置や部材との組み合わせた発明として把握することもできる。例えば、局部洗浄や暖房等の諸機能を実現する機能便座と組み合わせた衛生洗浄装置、収納用キャビネットや手洗装置と組み合わせたトイレキット装置、トイレ室内の構造体としての壁材，床材および天井材等を組み合わせたシステムトイレ装置等に適用することもできる。
【図面の簡単な説明】
【００４８】
【図１】本発明の実施例であるサイホンゼット式の便器１０を、その採用する洗浄水噴出の様子と共に示す概略斜視図である。
【図２】便器１０をその上面をほぼ全域に亘って破断して示す説明図である。
【図３】便器１０を図２における３−３線に沿って破断した概略縦断面を示す説明図である。
【図４】リム部２１を説明するため図２のＡ−Ａ線、Ｂ−Ｂ線、Ｃ−Ｃ線、Ｄ−Ｄ線の各部でリム部２１を破断した概略部分断面である。
【図５】リム噴出口４４の周辺の概略斜視図である。
【図６】便器１０のうちボール部パーツ１０ａの型成型に用いる型構成を便器縦断面方向で示す説明図である。
【図７】図４に示したリム部各部の横断面方向の型構造を示す説明図である。
【図８】リム部２１の要部とその部分の型構造を一部を拡大して示す説明図である。
【符号の説明】
【００４９】
１０…便器
１０ａ…ボール部パーツ
１０ｂ…本体下部パーツ
１０ｃ…給水路遮蔽パーツ
２０…ボール部
２１…リム部
２２…ゼット噴出口
２３…覆水面
２４…露出面
２５…吸込口
２６…凹部
２８…タンク取付孔
２９…便座取付孔
４０…洗浄水給水孔
４１…洗浄水給水路
４１ａ…区画壁
４１ｂ…エア排出孔
４２…空隙
４３…リム給水路
４４…リム噴出口
４５…ゼット給水孔
４６…ゼット給水路
５０…棚部
５２…オーバーハング部
５３…内面コーナー部
５４…連続部
５５…中空部
５８…リム上面壁
５９…外郭壁
６０…接合壁
６１…排泥孔
１００…上型
１０１…下型
１０２…合わせ型
３１０…洗浄水タンク
ＲＳ…リムショット洗浄水
【図１】
0003578169.tif 000002
【図２】
0003578169.tif 000003
【図３】
0003578169.tif 000004
【図４】
0003578169.tif 000005
【図５】
0003578169.tif 000006
【図６】
0003578169.tif 000007
【図７】
0003578169.tif 000008
【図８】
0003578169.tif 000009